【誤訳訂正書】
【提出日】平成18年11月28日(2006.11.28)
【誤訳訂正１】
【訂正対象書類名】明細書
【訂正対象項目名】特許請求の範囲
【訂正方法】変更
【訂正の内容】
【特許請求の範囲】
【請求項１】  登録番号Ｂ−３００８７でＮＲＲＬに寄託されたＢａｃｉｌｌｕｓ  ｐｕｍｉｌｕｓ株の全ての同定特徴を有する株、および登録番号Ｂ−３００８７でＮＲＲＬに寄託された該Ｂａｃｉｌｌｕｓ  ｐｕｍｉｌｕｓ株の変異体からなる群より選択される単離された株を含む組成物。
【請求項２】  組成物であって：
（ａ）請求項１に記載の組成物；および
（ｂ）登録番号Ｂ−２１６６１でＮＲＲＬに寄託されたＢａｃｉｌｌｕｓ  ｓｕｂｔｉｌｉｓ株の全ての同定特徴を有する株、および登録番号Ｂ−２１６６１でＮＲＲＬに寄託された該Ｂａｃｉｌｌｕｓ  ｓｕｂｔｉｌｉｓ株の変異体であって、殺真菌活性を有する、変異体、からなる群より選択される株、
を含む、組成物。
【請求項３】  Ｂｏｔｒｙｔｉｓ  ｃｉｎｅｒｅａおよびＰｅｒｏｎｏｓｐｏｒａ  ｐａｒａｓｉｔｉｃａに対する殺真菌活性を有する、請求項２に記載の組成物。
【請求項４】  （ａ）：（ｂ）の比が約２：１である、請求項２または３に記載の組成物。
【請求項５】  （ａ）：（ｂ）の比が約４：１である、請求項２または３に記載の組成物。
【請求項６】  請求項１〜５のいずれかに記載の組成物の全ブロス培養物を含む、組成物。
【請求項７】  少なくとも１つの化学的または生物学的殺虫剤をさらに含む、請求項６に記載の組成物。
【請求項８】  植物、根または果実を真菌感染から予防または処置するための方法であって、有効量の請求項１〜７のいずれかに記載の組成物を該植物、根または果実に適用する工程を包含する、方法。
【請求項９】  前記真菌感染が、Ｂｒｅｍｉａ  ｌａｃｔｕｃａｅ；Ｐｅｒｏｎｏｓｐｏｒａ  ｐａｒａｓｉｔｉｃａ；Ｐｈｙｔｏｐｈｔｈｏｒａ  ｉｎｆｅｓｔａｎｓ；Ｕｎｃｉｎｕｌａ  ｎｅｃａｔｏｒおよびＵｒｏｍｙｃｅｓ  ｐｈａｓｅｏｌｉからなる群から選択される少なくとも１つの微生物によって引き起こされる、請求項８に記載の方法。
【請求項１０】  Ｂｏｔｒｙｔｉｓ  ｃｉｎｅｒｅａおよびＰｅｒｏｎｏｓｐｏｒａ  ｐａｒａｓｉｔｉｃａからなる群から選択される少なくとも１つの微生物により引き起こされる真菌感染から、植物、根、または果実を保護するための方法であって、有効量の請求
項２に記載の組成物を該植物、根または果実に適用する工程を包含する、方法。
【請求項１１】  有効量の少なくとも１つの化学的または生物学的殺虫剤を適用する工程をさらに包含する、請求項８または１０に記載の方法。
【誤訳訂正２】
【訂正対象書類名】明細書
【訂正対象項目名】００７０
【訂正方法】変更
【訂正の内容】
【００７０】
（実施例１）
（菌株ＮＲＲＬ登録番号Ｂ−３００８７の特徴づけ）
ＮＲＲＬ登録番号Ｂ−３００８７を、メチルエステルへと誘導体化した全細胞の細胞性脂肪酸−ＦＡＭＳに基づいて同定し（Ｍｉｌｌｅｒ，Ｌ．Ｔ．（１９８２）「Ｓｉｎｇｌｅ  ｄｅｒｉｖａｔｉｚａｔｉｏｎ  ｍｅｔｈｏｄ  ｆｏｒ  ｒｏｕｔｉｎｅ  ａｎａｌｙｓｉｓ  ｏｆ  ｂａｃｔｅｒｉａｌ  ｗｈｏｌｅ  ｃｅｌｌ  ｗａｌｌ  ｆａｔｔｙ  ａｃｉｄ  ｍｅｔｈｙｌ  ｅｓｔｅｒｓ，ｉｎｃｌｕｄｉｎｇ  ｈｙｄｒｏｘｙ  ａｃｉｄｓ」Ｊ．Ｃｌｉｎ．Ｍｉｃｒｏｂｉｏｌ．１６：５８４〜５８６）、そしてＭＩＤＩシステム（Ｍｉｃｒｏｂｉａｌ  Ｉｄｅｎｔｉｆｉｃａｔｉｏｎ  Ｓｙｓｔｅｍ，Ｉｎｃ．、Ｎｅｗａｒｋ、ＤＥ）を使用するガスクロマトグラフィーにより分析した。細菌培養物を増殖するために使用される手順およびプロトコル、ならびに装置仕様は、ＭＩＤＩにより記載されている（細胞性脂肪酸のガスクロマトグラフィーによる細菌の同定。Ｔｅｃｈｎｉｃａｌ  Ｎｏｔｅ＃１０１．ＭＩＤＩ，Ｉｎｃ．、１１５  Ｂａｒｋｓｄａｌｅ  Ｐｒｏｆｅｓｓｉｏｎａｌ  Ｃｅｎｔｅｒ、Ｎｅｗａｒｋ、ＤＥ）。単離物をＴＳＡ（ＢＢＬ）プレート上で２８℃にて２４時間増殖させ、そして細胞を収集した。１ｍｌのメタノール性ＮａＯＨ（５０％（容量／容量）メタノール中１５％（重量／容量）ＮａＯＨ）を添加し、そして細胞を１００℃にて３０分間けん化した。脂肪酸のエステル化を、４６％（容量／容量）メタノール中３．２５Ｎ  ＨＣｌ  ２ｍｌを８０℃にて１０分間用いて実施した。ＦＡＭＥを、１：１（容量／容量）メチル−ｔｅｒｔ−ブチルエーテル−ヘキサン１．２５ｍｌ中に抽出し、そしてその有機抽出物を、３ｍｌの１．２％（重量／容量）ＮａＯＨで洗浄し、その後、ガスクロマトグラフィーにより分析した。このガスクロマトグラフ（Ｈｅｗｌｅｔｔ−Ｐａｃｋａｒｄ  ５８９０Ａ）は、水素炎イオン化検出器およびキャピラリーカラム（Ｈｅｗｌｅｔｔ−Ｐａｃｋａｒｄ  １９０９１Ｂ−１０２、架橋型５％フェニルメチルシリコン；２５ｍ×０．２２ｍｍ内径；フィルム厚０．３３  １ｌｍ；相比１５０）を備え、水素をキャリアガスとして用いた。Ｈｅｗｌｅｔｔ−Ｐａｃｋａｒｄ  ３３９２積分器が自動的にＦＡＭＥピークを積分した。そして細菌単離物を、ＭＩＤＩ  Ｍｉｃｒｏｂｉａｌ  Ｉｄｅｎｔｉｆｉｃａｔｉｏｎ  Ｓｏｆｔｗａｒｅ（Ｓｈｅｒｌｏｃｋ  ＴＳＢＡ  Ｌｉｂｒａｒｙ  ｖｅｒｓｉｏｎ  ３．８０）を使用して命名した。Ｘａｎｔｈｏｍｏｎａｓ  ｍａｌｔｏｐｈｉｌａ  ＡＴＣＣ  １３６３７のＦＡＭＥプロフィールを、ＭＩＤＩ決定のための参照チェックとして使用した。
【誤訳訂正３】
【訂正対象書類名】明細書
【訂正対象項目名】００７８
【訂正方法】変更
【訂正の内容】
【００７８】
(実施例４）
（植物試験における植物病原体に対するＮＲＲＬ登録番号Ｂ−３００８７の活性）
ＮＲＲＬ登録番号Ｂ−３００８７の活性を、マメサビ菌Ｕｒｏｍｙｃｅｓ  ｐｈａｓｅｏｌｉに対してサヤマメにおいて、そして灰色カビ菌Ｂｏｔｒｙｔｉｓ  ｃｉｎｅｒｅａに対してコショウ植物において、Ａｌｔｅｒｎａｒｉａ  ｓｏｌａｎｉに対してトマト植物において、そしてレタスのべと病菌Ｂｒｅｍｉａ  ｌａｃｔｕｃａｅに対して；アブラナのべと病菌に対して、Ｐｅｒｏｎｏｓｐｏｒａ  ｐａｒａｓｉｔｉｃａに対して、トマトの疫病Ｐｈｙｔｏｐｈｔｈｏｒａ  ｉｎｆｅｓｔａｎｓに対して、そしてブドウウドン粉病菌Ｕｎｃｉｎｕｌａ  ｎｅｃａｔｏｒに対して、試験した。
【誤訳訂正４】
【訂正対象書類名】明細書
【訂正対象項目名】００７９
【訂正方法】変更
【訂正の内容】
【００７９】
（Ａｌｔｅｒｎａｒｉａ  ｓｏｌａｎｉ）
病原体Ａｌｔｅｒｎａｒｉａ  ｓｏｌａｎｉを、ＰＤＡを含む標準的ペトリ皿（１０ｃｍ）上で増殖させた。真菌コロニーをプレートから切断し、そして胞子形成培地（１ｌの滅菌水あたり、２０ｇスクロース、３０ｇ炭酸カルシウム、および２０ｇ寒天）上に配置した。滅菌水を菌糸ブロックを部分的に覆うようにプレートに添加し、そしてプレートを２２〜２６℃にて２日間、１４時間の光周期でインキュベートする。菌糸ブロックをビーカーの滅菌水中に掻き落とすことによって胞子を収集する。胞子懸濁物を、２×１０4胞子／ｍｌに調整する。
【誤訳訂正５】
【訂正対象書類名】明細書
【訂正対象項目名】００８０
【訂正方法】変更
【訂正の内容】
【００８０】
２インチポットに植えそして平箱に配置した３〜４葉齢のトマト種子（ＵＣ８２−Ｂ）に、２５０ｍｌ振盪フラスコにおいて７２時間ダイズ粉末、酵母抽出物培地にて増殖させたＮＲＲＬ登録番号Ｂ−３００８７のブロス全体を、画家用エアブラシ（ａｒｔｉｓｔｓ  ａｉｒ  ｂｒｕｓｈ）を用いて噴霧して溢れ出させた（ｒｕｎｏｆｆ）。噴霧後、実生を最低２時間乾燥させた。接種された実生を２２℃のＰｅｒｃｉｖａｌ露チャンバ（ｄｅｗ  ｃｈａｍｂｅｒ）にて、限定はしないが最初の４０時間配置した。各平箱中の植物をプラスチックドームで覆い、そして１４時間の光周期で、Ｐｅｒｃｉｖａｌインキュベーターにて２０〜２２℃で４８時間維持した。ＮＲＲＬ登録番号Ｂ−３００８７を含まず病原体の胞子を含む水、ならびにＮＲＲＬ登録番号Ｂ−３００８７を含まず病原体の胞子を含まない水を、ネガティブコントロールおよびポジティブ病原体コントロールとして使用した。また、化学殺真菌剤（例えば、Ａｚｏｘｙｓｔｒｏｂｉｎ、Ａｂｏｕｎｄ（登録商標））を、１００〜２５０ｐｐｍの率にて比較のために使用した。植物を、０〜５のスケールにスコア付けした。ここで、５は、１００％感染であり、そして０は症状が存在しない。水Ａ．ｓｏｌａｎｉコントロールにおいて、すべての葉にわたって均一な病変が存在し、そして子葉が剥離し、そして重篤に感染した（評点５＝完全感染、制御なし）。ＮＲＲＬ登録番号Ｂ−３００８７で処理した植物は、水コントロールと異ならないように見えた。ＮＲＲＬ登録番号Ｂ−３００８７による病原体の制御は存在しなかった（これもまた、評点５）。ネガティブコントロールは感染しなかった。化学処理した植物は、０と１との間のスコアを有した。
【誤訳訂正６】
【訂正対象書類名】明細書
【訂正対象項目名】００８３
【訂正方法】変更
【訂正の内容】
【００８３】
（Ｂｒｅｍｉａ  ｌａｃｔｕｃａｅ）
Ｂｒｅｍｉａ試験について、レタス種子を、約８センチメートルの高さおよび正方形である小さく透明なプラスチックの植物箱において、ピート、パーライトおよびバーミキュライトを含む滅菌培養土混合物の層に植えた。植付けの１週間後、レタス実生に、ＮＲＲＬ登録番号Ｂ−３００８７ブロスまたは上清サンプルを噴霧した。この植物を乾燥させ、次いで感染したレタス実生から収集したべと病菌胞子懸濁物（２×１０4胞子／ｍｌ）を実生に噴霧した。Ａｌｉｅｔｔｅ（ｆｏｓｅｔｙｌ−ａｌ）およびＲｉｄｏｍｉ（ｍｅｔａｌａｘｙｌ）からなる化学物質スタンダードもまた、適用した。しかし、これらの試験において使用したＢｒｅｍｉａ  ｌａｃｔｕｃａｅの単離物は、商業的に使用されるこれらの２つの化学物質スタンダードに非感受性であることが以前に示された。プラスチックの箱をきつくフィットするフタで覆い、そして制限しないが１６時間Ｐｅｒｃｉｖａｌインキュベーターにて１５〜１６℃にてインキュベートした。次いで、プラスチックの箱を６日間、光の下で室温（２０〜２６℃）に配置した。実生の覆いを取り、水を噴霧し、再び覆い、そして胞子形成が生じるように１５〜１６℃にて一晩インキュベーターに戻した。レタスべと病菌の化学物質耐性菌に対するＮＲＲＬ登録番号Ｂ−３００８７の効果を、下記表３に示す。
【誤訳訂正７】
【訂正対象書類名】明細書
【訂正対象項目名】００８５
【訂正方法】変更
【訂正の内容】
【００８５】
（Ｐｅｒｏｎｏｓｐｏｒａ  ｐａｒａｓｉｔｉｃａ）
Ｂａｃｉｌｌｕｓ菌株ＮＲＲＬ登録番号Ｂ−３００８７を、２５０ｍｌ振盪フラスコにて、上記のように増殖させた。１×強度のブロス培養物全体を、完全子葉期の１週齢のカリフラワー植物または芽キャベツ植物に、圧縮空気を動力源とする画家用エアーブラシを用いて噴霧した。１処理あたり３連の１５〜２５実生／ポットに噴霧した。１〜５×１０4胞子／ｍｌのべと病菌Ｐｅｒｏｎｏｓｐｏｒａ  ｐａｒａｓｉｔｉｃａの胞子懸濁物を、まずＮＲＲＬ登録番号Ｂ−３００８７を適用した後に、Ｂｒａｓｓｉｃａ植物に噴霧した。Ａｌｉｅｔｔｅ（ｆｏｓｅｔｙｌ−ａｌ）およびＲｉｄｏｍｉｌ（ｍｅｔａｌａｘｙｌ）からなる化学物質スタンダードもまた、適用した。しかし、これらの試験において使用したＰｅｒｏｎｏｓｐｏｒａ  ｐａｒａｓｉｔｉｃａの単離物は、商業的に使用されるこれら２つの化学物質スタンダードに非感受性であることが以前に示された。
【誤訳訂正８】
【訂正対象書類名】明細書
【訂正対象項目名】００８６
【訂正方法】変更
【訂正の内容】
【００８６】
感染のために植物を１５〜１７℃で１６時間保持し、次いで実生を２０〜２４℃で６日間インキュベートした。病原体の胞子形成が生じるように、ポットを１５〜１７℃に一晩戻した。各植物を、０〜５のスケールに基づいて疾患制御パーセントを評価することによって、評価した。評点０は、胞子形成病変を伴わない植物である。レプリカポットすべてにわたって平均した結果を、以下表４に示す。
【誤訳訂正９】
【訂正対象書類名】明細書
【訂正対象項目名】００８８
【訂正方法】変更
【訂正の内容】
【００８８】
（Ｕｎｃｉｎｕｌａ  ｎｅｃａｔｏｒ）
ブドウ実生（Ｃｈａｒｄｏｎｎａｙ）を、６〜９本葉期まで２インチポットにて生長させた。ウドン粉病菌の培養物を、１４時間光周期のもとで２２〜２６℃にてブドウ実生上に維持した。ほとんど最も若い２〜４つの葉を除去する。ＮＲＲＬ登録番号Ｂ−３００８７、化学殺真菌剤（Ｒａｌｌｙ（登録商標）、２５ｐｐｍのミクロブタニル（ｍｙｃｌｏｂｕｔａｎｉｌ））および水チェックを、試験した他の病原体についての上記の通りに、適用して溢れ出させる。４〜５つのレプリカを、各処理に使用する。ウドン粉病菌を接種するために、維持実生（ｍａｉｎｔｅｎａｎｃｅ  ｓｅｅｄｉｎｇ）上にカビを有する葉をかみそりで除去し、そして各植物に個別に接種する。維持実生の表面を絵の具刷毛でおだやかにブラッシングして、胞子が試験植物の上側表面上に堆積するようにする。この手順は、すべての植物が等価な接種物を得るのを確実にするように、ライト付３×拡大レンズを使用して実施する。ポットが入った平箱を、２０〜２４℃にて１６〜２４時間暗所に配置する。平箱を、試験を判断するまでさらに９〜１１日間、１４時間の光周期で２２〜２６℃に維持する。上記のように、植物に、０〜５のスコアを与える。ＮＲＲＬ登録番号Ｂ−３００８７を使用する結果を、以下の表５に示す。
【誤訳訂正１０】
【訂正対象書類名】明細書
【訂正対象項目名】００９０
【訂正方法】変更
【訂正の内容】
【００９０】
（Ｐｈｙｔｏｐｈｔｈｏｒａ  ｉｎｆｅｓｔａｎｓ）
トマト疫病Ｐ．ｉｎｆｅｓｔａｎｓの試験を、２インチ四方のプラスチックポットにて生長させた４〜６本葉期のトマト実生（ＵＣ８２−Ｂ）を使用して実施した。以前に記載されたように増殖させたＮＲＲＬ登録番号Ｂ−３００８７の適用を、トマト実生に行った。Ｐ．ｉｎｆｅｓｔａｎｓの接種物を、ライムギ種子寒天上に増殖した胞子形成コロニーを掻き落とし、そして０．７×１０4〜１．０×１０4胞子嚢／ｍｌの間に接種濃度を調整することによって、生成した。Ａ．ｓｏｌａｎｉ試験について上記した通りに正確に、接種した実生を平箱中に配置し、そしてインキュベートした。実生を、０〜５スケールにて評価した。Ｑｕａｄｒｉｓ（登録商標）（アゾキシストロビン（ａｚｏｘｙｓｔｒｏｂｉｎ））を、６２．５〜１２５ｐｐｍの率にて、比較のために使用した。ＮＲＲＬ登録番号Ｂ−３００８７を使用する結果を、以下の表６に示す。
【誤訳訂正１１】
【訂正対象書類名】明細書
【訂正対象項目名】００９２
【訂正方法】変更
【訂正の内容】
【００９２】
（Ｕｒｏｍｙｃｅｓ  ｐｈａｓｅｏｌｉ）
マメサビ菌Ｕ．ｐｈａｓｅｏｌｉの試験を、第一葉が３／４拡大するまで、サヤマメ実生（供給者の変種）を使用して実行した。ＮＲＲＬ登録番号Ｂ−３００８７の適用を、他の宿主／病原体の組み合わせについて以前に記載した通りに実行した。サビ病病原体の接種物を、−２０℃のバイアル中に乾燥サビ菌胞子として貯蔵した。接種物を、０．０１％  Ｔｗｅｅｎ  ２０を含む水に乾燥サビ菌胞子を添加することにより調製し、そして少なくとも１時間磁気攪拌器上で激しく攪拌した。接種物を、２×１０5〜４×１０5胞子／ｍｌに調整する。第一葉に接種し、そして実生を平箱中に配置し、そしてＰｅｒｃｉｖａｌ露チャンバにて２０℃にて一晩インキュベートする。次いで実生を、室温（２０〜２６℃）でさらに８〜１０日間インキュベートする。実生を、存在する胞子形成サビ菌いぼの発生率および重篤度に基づいて、０〜５のスケールにて評価する。
【誤訳訂正１２】
【訂正対象書類名】明細書
【訂正対象項目名】０１０４
【訂正方法】変更
【訂正の内容】
【０１０４】
ＮＲＲＬ登録番号Ｂ−３００８７ブロス全体に、精製ツウィッターマイシンＡを加え、そしてキャピラリー電気泳動（ＣＥ）において泳動した。３０μｌのＮＲＲＬ登録番号Ｂ−３００８７ブロス全体に、１０μｌのツヴィッターマイシンＡを加えた。ＮＲＲＬ登録番号Ｂ−３００８７ブロス全体、ＮＲＲＬ登録番号Ｂ−３００８７ブロス全体＋ツウィッターマイシンＡ、およびツヴィッターマイシンＡ単独のうちの１つのサンプル各々を、リン酸ナトリウム緩衝液（ｐＨ５．８）を使用してＣＥ上で泳動した。各サンプルについて生じた電気泳動図を図３に示す。
【誤訳訂正１３】
【訂正対象書類名】明細書
【訂正対象項目名】０１１１
【訂正方法】変更
【訂正の内容】
【０１１１】
本発明のエンハンサーは、キャピラリー電気泳動においてツヴィッターマイシンＡとは異なることが示された。Ｂ−３００８７のブロス全体は、ダイズ粉、ブドウ糖、酵母抽出物、ＫＨ2ＰＯ4、Ｋ2ＨＰＯ4、ＮａＣｌおよびＭｇＳＯ4×７Ｈ2Ｏを含むＢａｃｉｌｌｕｓ培養培地で増殖された。画線培養を使用して２５０ｍｌ振盪フラスコに播種した。フラスコを２１０ｒｐｍ、３０℃、４日間振盪した。Ｂａｃｉｌｌｕｓ  ｔｈｕｒｉｎｇｉｅｎｓｉｓ  Ｂ−３００８７ブロス全体を、精製したツヴィッターマイシンＡを加え、キャピラリー電気泳動（ＣＥ）を行った。３０μＬのＢ−３００８７ブロス全体を、１０μＬツヴィッターマイシンＡを加えた。Ｂ−３００８７ブロス全体（図３Ａ）、Ｂ−３００８７ブロス全体およびツヴィッターマイシンＡ（図３Ｂ）ならびにツヴィッターマイシンＡのみ（図３Ｃ）を、ｐＨ５．８のリン酸ナトリウム緩衝液を使用してＣＥで電気泳動を行った。ＣＥの電気泳動図が図４に示される。
【誤訳訂正１４】
【訂正対象書類名】明細書
【訂正対象項目名】０１２１
【訂正方法】変更
【訂正の内容】
【０１２１】
【表１２】
2002539820.tif 000001
Ｂｏｔｒｙｔｉｓ  ｃｉｎｅｒｅａ試験結果は、菌株が単独で使用される場合と比較した、その菌株が組み合わせて使用される場合の統計的な差を示す。例えば、Ｂ−２１６６１  １／４×およびＢ−３００８７  １／２×についてのスコア０．７は、単独で使用されたＢ−２１６６１  １／４×についてのスコア１．２とは統計的に異なる。また、Ｂ−２１６６１  １／８×およびＢ−３００８７  １／２×のスコア１．４は、Ｂ−２１６６１  １／８×のみについてのスコア１．７またはＢ−３００８７  １／２×のみについてのスコア２．３とは統計的に異なる。一緒のスコアは、単独で使用される各菌株についての予期される平均よりも低い。これは、殺菌剤としての効力の増加について一緒に菌株を使用することの相乗効果を示す。
【誤訳訂正１５】
【訂正対象書類名】明細書
【訂正対象項目名】０１２２
【訂正方法】変更
【訂正の内容】
【０１２２】
Ｐｅｒｏｎｏｓｐｏｒａ  ｐａｒａｓｉｔｉｃａ試験結果は、Ｂ−２１６６１  １／８×およびＢ−３００８７  １／２×の組み合わせについてのスコアが、添加効果から予期されるよりもはるかに良いことを示す。スコア２．０５は、菌株の組合せからの添加効果のみが存在する場合、予期される。しかし、実際のスコアは、０．３であり、これは、組み合わせて菌株を使用することによる明確な相乗効果が存在することを示す。他のスコアもまた、予期される結果よりも良いことを示し、例えば、Ｂ−２１６６１  １／４×およびＢ−３００８７  １／４×が、スコア０．５を有し、これは、個々の菌株の添加効果のみから予想される（２．３５の推定されるスコア）よりもずっと良い。この同じ相乗作用はまた、Ｂ−２１６６１  １／２×およびＢ−３００８７  １／２×（スコア０．３）、Ｂ−２１６６１  １／２×およびＢ−３００８７  １／４×（スコア０．３）、ならびにＢ−２１６６１  １／２×およびＢ−３００８７  １／８×（スコア０．５）の組み合わせにおいて示される。これらの試験は、菌株を組み合わせて使用する場合、相乗効果が存在し、そして予期されない効果が存在することを示す。
ＲＬ登録番号Ｂ−３００８７の菌株をＢ−２１６６１（ＡＱ７１３）と共に用いることの相乗的な殺真菌効果を包含する。